(57)【要約】【課題】  集合住宅等の玄関扉は防犯、防火の機能が求められるため通風ができず夏場には冷房設備に頼る実態がある。開放した扉の内側に網戸を設置する技術もあるが、防犯上の不安がある。扉自体に通風窓を設ける技術も考案されたが既設扉には設置し難く実用化されていない。省エネ、節電のためにも、通風と防虫、防犯、防火の機能を並立できる技術を求める。【解決手段】  本発明では、玄関扉１に通風窓３を設けることで、防虫網戸１０で害虫の侵入を防ぎながら省エネ、節電が実現できる。また、通風窓５には、火災時の熱で制動具９が外れてバネの力で通風窓３を遮蔽する羽根状防火板６を設置して、防火機能を持たせる。これは防犯格子の役割も果たす。これらを、窓枠構造体２を躯体にモジュール化し、玄関扉１に穿った開口部に取り付けることで、新設扉だけでなく既設扉にも簡便に設置できるようにする。これにより先の課題は解決可能となった。【選択図】図２
2014043757.tif 000002
【特許請求の範囲】
【請求項１】
玄関扉に網戸と格子の付いた通風窓を設けることで通風、防虫、防犯機能を持たせる。火災の熱を感知すると、通風窓内に設置した制動具が外れて通風窓内部に設置したバネ材の力を発揮させ、通風窓に設置した羽根状の防火板で一瞬にして通風窓を遮蔽し、防火機能を持たせる。羽根状防火板は防犯格子の役割も果たす。これら既存の技術を、窓枠構造体を躯体にモジュール化し、扉本体に穿つ開口部に取り付けることで、新設はもちろん既設扉にも簡便に取り付けられることを特徴とする扉。
【発明の詳細な説明】
【技術分野】
【０００１】  本発明は、玄関扉の形状および機能に関する。
【背景技術】
【０００２】  集合住宅等の玄関扉は防火の観点から通風できない構造となっており、従来、開放した玄関扉の内側に網戸を設置するなどの通風対策も採られてきた（例えば、特許文献１参照）。また、扉に網戸付きの通風窓を設け、火災時には窓を閉じたり防火壁を落下させて遮断したりする事例も見られる（例えば、参考文献２および３参照）。
【特許文献１】実用新案第  ３０８８１７９号
【特許文献３】特開２０００−  ７３６７１号公報
【特許文献２】特開２００８−１３８４７６号公報
【発明の開示】
【発明が解決しようとする課題】
【０００３】  集合住宅等の玄関扉は防火の観点から通風ができない構造となっており、とりわけ夏場には冷房設備に頼る実態がある。かといって、玄関扉を開放しては防犯上の不安がある（例えば、特許文献１参照）。扉に通風窓を設ける技術も既設扉に設置し難いこともあり普及していない（例えば、参考文献２および３参照）。省エネ、節電のためにも、通風と防虫、防犯、防火の機能を備え、既設扉にも簡便に設置できる技術を求める。
【課題を解決するための手段】
【０００４】  本発明は、上記目的を達成するため、玄関扉に網戸と格子の付いた通風窓を設けることで通風、防虫、防犯機能を持たせる。その通風窓に、火災の熱に反応して制動具が外れ、内部に設置したバネ材の力で通風窓を遮蔽する羽根状の防火板を設けることで防火機能を持たせる。羽根状防火板は防犯格子の役割も果たす。これらを、窓枠構造体を躯体にモジュール化し、新規製造の扉、既設の扉を問わず、扉に穿った開口部に嵌め込み固定することで、簡便に設置できるようにする。
【発明の効果】
【０００５】  本発明によれば、玄関扉を閉めたまま任意に通風窓を開けて通気を行なうことができ、省エネ、節電に役立つ。網戸により害虫などの侵入を防止できる。火災時の熱で制動具が外れ、バネ材の力で通気窓を遮蔽する羽根状防火板を設けることで防火機能を持つ。羽根状防火板は防犯格子の役割も果たすことで防犯機能を持つ。これらを窓枠構造体を躯体にモジュール化すると、新規製造の扉だけでなく既設の扉にも簡便に設置することが可能となり、この発明の目的は達成される。
【発明を実施するための最良の形態】
【０００６】  本発明の実施形態。図１、２による。
１、玄関扉本体・・・扉の下部、扉に郵便受けなど他の構造が付加されている場合は上部に、あるいは上下二箇所に、縦８００ｍｍ、横６００ｍｍ程度の穴を穿ち、下記２から１０を一体化したモジュールを取り付ける。大きな穴を穿つが、窓枠構造体２と窓枠固定材６によって扉の強度は保たれる。
２、窓枠構造体（モジュールの躯体）・・・丈夫な鋼鈑を用いて、縦８４０ｍｍ、横６４０ｍｍ程度の窓枠表板に、扉に穿つ穴の大きさに合わせた、高さ４５ｍｍ、縦８００ｍｍ、横６００ｍｍ程度の口字状の窓枠補強鋼材を接合してモジュールの躯体とする。さらに、窓枠補強材の室内側の先に、上部から防虫網戸付内壁１０を差し込めるよう受け溝を設ける。
なお、モジュールは扉の下部に取り付けることを基本とするが、下部に障害がある場合は上部に設置する。上下両方に設置することも可能。
３、窓枠構造体固定材・・・窓枠構造体２を玄関扉１に固定するための部材。
４、窓枠構造体固定ビス・・・窓枠構造体２を、窓枠構造体固定材３を使用して玄関扉１に固定するためのビス。
５、通風窓（開口部）・・・窓枠構造体２には縦７５０ｍｍ、横５７０ｍｍ程度の通風窓を設ける。
６、羽根状防火板・・・通風窓３には、羽根状の防火板を通風窓の前面をバネ材により強制的に、完全に覆うように設置し防火壁として機能させる。その際、羽根状防火版の形状を取り付け部の後方を少し幅広とすることで、重ね合わせた状態で隙間を作らないようにできる。素材は鋼板などを使用する。
通風窓５に通気するときは、羽根状防火板をバネ材の抵抗を排して、覗き込み防止のため、水平よりやや前傾の姿勢まで引き上げ、後記の制動具９で仮固定する。
火災の熱を感知したときは制動具９が解除され、バネの力で閉鎖状態まで一瞬で戻り防火壁の役割を果たす。
この羽根状防火板は防犯格子の役割も果たす。
７、羽根状防火板取り付け材・・・窓枠構造体２の内側左右に、羽根状防火板を取り付けるための不燃材料でできた取り付け材を設置する。
８、バネ材・・・窓枠構造体の内側上部に設置する制動具９の一部材。
９、制動具・・・羽根状防火板６を、平時はバネ材８の力で通風窓５を完全に覆うようにし、通気時には制動具の開紐を引くとバネ材の力を緩め、羽根状防火板６の後部を上昇させ通風せることができる。制動具の紐は原則的に鋼線を使用するが、制動具のセンサーとして釣り糸を使用する部分もある。
火災の熱を感知すると制動具の働きでバネ材８の力を利用して一瞬にして羽根状防火板６で通風窓５を完全に覆い防火壁として機能させる。
一例としては、窓枠構造体２の上部に設置したバネ材に釣り糸を結び通風窓の内部を通して窓枠構造体２の下部に仮固定する原始的かつ確実な方法が考えられる。釣り糸を引けば羽根状防火板６が開いて通気し、火災の熱で釣り糸が切れればバネ材の力で羽根状防火板６が閉じて防火壁となる。
１０、防虫網戸付内壁・・・窓枠構造体２の室内側に取り外しが容易な鋼板を取り付け、その下部の開口部に防虫網戸を設ける。
【他の実施形態】
【０００７】  制動具としては例示の他、火災時の熱に反応するヒューズや形状記憶合金、音度センサーを利用して、羽根状防火板６の作動をコントロールする方法が考えられる。
【０００８】  防虫網戸付内壁１０は、近隣火災時には防煙機能の補強のため、防虫網戸のない防煙板と差し替えることもできる。これは防寒対策としても活用できる。
【図面の簡単な説明】
【０００９】
【図１】この発明の一実施形態を示す正面図である。
【図２】この発明の一実施形態を示す断面図である。
【符号の説明】
【００１０】  １、玄関扉本体
２、窓枠構造体（モジュールの躯体）
３、窓枠構造体固定材
４、窓枠構造体固定ビス
５、通風窓（開口部）
６、羽根状防火板（兼、防犯格子）
７、羽根状防火板取り付け材
８、バネ材
９、制動具
１０、防虫網戸付内壁
【図１】
2014043757.tif 000003
【図２】
2014043757.tif 000004